(57)【要約】      （修正有）【課題】自然の生命活動による浄水力を活用し、機械式や化学式の水浄化装置に比較して管理者の財政や地球環境に負担を軽減し、地球環境や財政に優しい水浄化装置を提供する。【解決手段】炭を混入して成型した軽量コンクリート版に、浄化効果を増加させる為に水辺植物を植栽する為の育苗ポットを付設して滞留水浄化装置を構成し、浄化すべき原水に直接浮かべて使用する。気泡部分の微小空洞及び炭内の空隙を苗床として、自然のバクテリアを繁殖させ、バクテリアの生命活動を通じて汚濁原因物質の分解吸収を促進する。葦・イ草等の水辺植物（２）を植え付け、この葦・イ草の根（３）を水中に伸ばさせる事により水中から直接、燐化合物や窒素化合物や重金属等を養分としてその体内に取り込ませる。【選択図】  図１
2005247674.tif 000002
【特許請求の範囲】
【請求項１】
炭を混入し成型した軽量気泡コンクリート版（１）
【請求項２】
植栽の為の育苗ポット（５）を取り付けた「請求項１」記載の軽量気泡コンクリート版
【請求項３】
「請求項１」記載の軽量気泡コンクリート版（１）を都市河川の流水浄化に応用する図−４，５の工法
【発明の詳細な説明】
【技術分野】
【０００１】本発明は、庭園の池や貯水池や濠等の滞留水が、富栄養化により植物性プランクトの大量発生を招き汚濁するのを、自然の浄化力を利用して改善する為の水浄化装置に関するものである。
【背景技術】
【０００２】  従来から、滞留水を浄化する為に、多孔質光触媒を利用する装置、浸透膜を利用する装置、高分子電解質膜を利用する装置等あり、これらを船に搭載し稼させるシステムが発明されている。しかし現状としては、設備が過大となり処理コストがかさむので一般の小規模な現場には普及していない状況である。
【発明が解決しようとする課題】
【０００３】  従来の滞留水を浄化するシステムは、その浄水システムを稼動させるために外部からの動力が必要不可欠であり、水を浄化すると、二酸化炭素が排出されると言う地球環境保全の面からみて矛盾を孕んでいる。また、従来の水浄化システムでは大掛かりな設備投資が必要である上に、専従の作業員経費、メンテナンス要員経費、燃料費、電力費等のランニングコストが加算される。また装置を設置する為の作業ヤードまたは台船が必要である。これらの理由により小規模な貯水池等に設置稼動させるには困難を伴う。本発明は、これらの問題点を解決する為になされたものである。
【課題を解決するための手段】
【０００４】  炭を混入し成型した軽量気泡コンクリート版（１）を浄化すべき原水に直接浮かべて使用する，この軽量気泡コンクリート版中の気泡部分の微小空洞及び炭内の空隙を苗床として、自然のバクテリアを繁殖させ、バクテリアの生命活動を通じて汚濁原因物質の分解吸収を促進する。炭を混入し成型した軽量気泡コンクリート版（１）には、植栽の為の育苗ポット（５）を取り付けて、葦・イ草等の水辺植物（２）を植え付ける。この葦・イ草の根（３）を水中に伸ばさせる事により水中から直接、燐化合物や窒素化合物や重金属等を養分としてその体内に取り込ませる。葦・イ草が十分生長し終わったらこれを取り込み、新たに葦・イ草の苗を植栽し、軽量気泡コンクリート版（１）を繰り返し再利用する。  本発明は、以上の様に、高度な技術と高額な費用を必要とせず、自然の浄水力を利用する事により、環境に優しく水を浄化する為になされたものである。
【発明を実施するための最良の形態】
【０００５】  軽量気泡コンクリートは、軽量であり防音・遮温性能に優れた一般に普及している建材であるが、雨水を透過する欠点を合わせ持っている。本発明は、軽量気泡コンクリートの特徴の内、軽量である事（水に浮く）、透水性がある事、内部に空隙を有している事、組成自体には耐水性がある事を利用し、さらに軽量気泡コンクリート内に炭を混入して成型し、微生物及びバクテリアの苗床としての性能を向上させ、この微生物に水中の植物プランクトンの大量発生原因となる水中の栄養分を吸収分解させ、植物プランクトンの大量発生による滞留水の汚濁を防止するものである。さらに、汚濁原因物質の吸収分解性能を相乗効果により促進させる為、「請求項１」記載の軽量気泡コンクリート版（１）に植栽の為の育苗ポット（５）を取り付けて葦・イ草等葦等の水辺植物（５）を植え付け、この植物の根（３）を水中に伸ばさせる事により水中から直接、汚濁原因物質である燐化合物や窒素化合物等を養分としてその体内に取り込ませる。葦・イ草（２）が十分生長し終わったらこれを取り込み、新たに葦・イ草の苗を植栽し、軽量気泡コンクリート版（１）を繰り返し再利用する。葦・イ草の取り込みを容易とする為、育苗用ポット（５）は逆円錐形とし、内外二重構造とする。外部円錐型は軽量気泡コンクリート版（１）に固定し、内部円錐型は一山半ネジ（８）で外部円錐型に固定する構造とする。また内部円錐型には、スリット加工を施し成長した葦・イ草と容易に分離できる構造とする。取り外した内部円錐型ポットは、新たに葦・イ草の苗を植栽した上、外部円錐型ポットに再度固定し再利用する。  本発明は以上の構成からなる。本発明を使用するときは、浄化すべき滞留水に本発明を浮かべて自然に漂わせ使用する。水量と汚濁の度合いに応じて、軽量気泡コンクリート版（１）の形状・大きさ・数量を最適に調整しこれを使用する。また、一方向からの風、水の流れがあり、軽量気泡コンクリート版（１）が水面の片隅に滞留する場合は錨で係留し所定の位置に固定し使用する。成長した葦・イ草（２）の取り込みは、年一度を目安とし、美観を考慮し適宜行う事が出来る。  本発明は滞留水の浄化を対象とした物であるが、図−４，５に、コンクリートで護岸された都市河川等の流水への応用例を示す。
【発明の効果】
【０００６】  本発明は、軽量気泡コンクリート版を基本として使用するので、形状・大きさ・数量を自由に変更出来、水槽から貯水池までのさまざまな大きさの滞留水浄化に無駄無く対応する事が出来る。本発明は現地に機械等を設置する必要がないので、景観を損なう事も無い。またランニングに動力を必要としないので、水浄化作業に伴って二酸化炭素を排出する事が無く、地球環境に優しい発明である。逆に、葦・イ草の成長活動により水が浄化されると共に、二酸化炭素を吸収し酸素を排出すると言う利点がある。その上、イ草を植栽した場合、畳表の材料として収穫する事が出来るので取り込んだ植物を産業廃棄物として処理しなくても良い。また、景勝地の池や濠の滞留水浄化時は、水仙などの観賞植物を植栽し景観に配慮する事も可能である。以上の様に、本発明は、水浄化工程において、成長した葦・イ草の取り込み時の人件費以外は、メンテナンス費用・ランニング動力費・ランニング人件費が不要なので、低費用で施行出来る。また、高度な技術を必要としないので、開発途上国に於いても簡単に製作・実施出来る。
【図面の簡単な説明】
【０００７】
【図１】本発明の断面図
【図２】本発明の平面図
【図３】本発明を構成する植栽用ポットの断面詳細図（左：ポット外側  右：ポット内側）
【図４】本発明の河川水浄化への応用例（横断図）
【図５】本発明の河川水浄化への応用例（縦断図）
【符号の説明】
（１）  木炭を混入し成型した軽量気泡コンクリート版  （２）  葦・イ草等の水辺植物  （３）  （２）の根  （４）  補強鉄筋  （５）  植栽ポット（内・外二重構造）  （６）  ウォターライン  （７）  衝撃緩衝材  （８）  内ポット固定用ネジ山  （９）  内ポット底蓋  （１０）  内ポット落とし込み用切り欠き  （１１）  ステップ天端  （１２）  河川床コンクリート  （１３）  止水壁兼軽量気泡コンクリート版設置架台  （１４）  河川天端
【図１】
2005247674.tif 000003
【図２】
2005247674.tif 000004
【図３】
2005247674.tif 000005
【図４】
2005247674.tif 000006
【図５】
2005247674.tif 000007